(57)【特許請求の範囲】
【請求項１】
装置の側面に形成される装置筐体と、
前記装置の前面に装置開口部を形成する開閉可能な扉と、
前記装置の底部に形成される装置底板と、
前記装置底板に載置される前記装置の内部ユニットと、
前記内部ユニットの側面と前記装置筐体との間に前記装置開口部から装置背面側に至る装置奥行に形成される第１の間隙と、
前記装置底板における前記第１の間隙に、前記装置を床に固定するために配置した複数の固定部材用の孔とを有し、
前記固定部材用の孔は、装置奥行略中央位置より前記装置開口部寄りに配置したことを特徴とする自動取引装置。
【請求項２】
前記固定部材用の孔は、前記装置開口部から見て前記内部ユニットの左右に有する前記第１の間隙における前記装置開口部の近傍に配置したことを特徴とする請求項１記載の自動取引装置。
【請求項３】
前記内部ユニットを前記装置開口部を介して前記装置の外に移動可能とする移動手段を備え、
前記移動手段は、前記内部ユニットを前記装置の外に移動した後に、前記装置開口部と前記内部ユニットの後端の間により固定部材を前記装置底板に固定する作業用の第２の間隙が形成されることを特徴とする請求項２記載の自動取引装置。
【請求項４】
前記固定部材用の孔は、更に、前記第１の間隙に設置された装置内部品から取付作業用の取付工具の回転半径以上の前記装置開口部側に離間をさせて配置したことを特徴とする請求項３記載の自動取引装置。
【請求項５】
前記固定部材用の孔は、更にまた、前記取付工具の所定の角度の回転によって、前記取付工具が装置内部品と干渉しないように配置したことを特徴とする請求項４記載の自動取引装置。
【請求項６】
前記内部ユニットを前記装置開口部を介して前記装置の外に移動可能とする移動手段を備え、
前記固定部材用の孔は、前記装置開口部から見て前記内部ユニットの左右に有する前記第１の間隙における前記装置開口部の近傍及び装置奥行略中央に配置したことを特徴とする請求項１記載の自動取引装置。
【請求項７】
前記移動手段は、前記内部ユニットを前記装置の外に移動した後に、前記装置開口部と前記内部ユニットの後端の間により固定部材を前記装置底板に固定する作業用の第２の間隙が形成されることを特徴とする請求項６記載の自動取引装置。
【請求項８】
前記装置奥行略中央に配置する前記固定部材用の孔は、取付作業用の取付工具の所定の角度の回転によって、前記取付工具が装置内部品と干渉しないように配置したことを特徴とする請求項７記載の自動取引装置。
【請求項９】
前記装置奥行略中央に配置する前記固定部材用の孔は、前記装置開口部からの長さを通常の成人の腕の長さの範囲内に配置したことを特徴とする請求項７記載の自動取引装置。
【請求項１０】
前記第２の間隙を介して、前記固定部材用の孔に対して前記固定部材を前記装置底板に固定することにより、前記装置を前記床に固定可能とすることを特徴とする請求項３又は７記載の自動取引装置。
【請求項１１】
前記内部ユニットを前記装置開口部を介して前記装置の外に移動可能とする移動手段と、
前記装置開口部から見て前記内部ユニットの左右に有する前記第１の間隙のうち、一方の側に前記内部ユニットに付属する装置内部品を備え、
前記固定部材用の孔は、前記装置開口部から見て前記内部ユニットの左右に有する前記第１の間隙における前記装置開口部の近傍に配置し、かつ前記内部ユニットの左右に有する前記第１の間隙のうち他方の側には、装置奥行略中央に配置したことを特徴とする請求項１記載の自動取引装置。  
【請求項１２】
前記移動手段は、前記内部ユニットを前記装置の外に移動した後に、前記装置開口部と前記内部ユニットの後端の間により固定部材を前記装置底板に固定する作業用の第２の間隙が形成されることを特徴とする請求項１１記載の自動取引装置。
【請求項１３】
前記内部ユニットを前記装置の外に移動した後に形成される前記第２の間隙を介して、前記装置奥行略中央に配置された前記固定部材用の孔を利用し、前記固定部材を前記装置底板に固定することにより、前記装置を前記床に固定可能とすることを特徴とする請求項１２記載の自動取引装置。
【請求項１４】
前記固定部材用の孔は、異なる配置構成に合わせてあらかじめ複数の孔が配置されていることを特徴とする請求項１乃至請求項１３いずれか一記載の自動取引装置。
【請求項１５】
装置の側面に形成される装置筐体と、
前記装置の背面に装置開口部を形成する開閉可能な扉と、
前記装置の底部に形成される装置底板と、
前記装置底板に載置される前記装置の内部ユニットと、
前記内部ユニットの側面と前記装置筐体との間に前記装置開口部から装置前面側に至る装置奥行に形成される第１の間隙と、
前記装置底板における前記第１の間隙に、前記装置を床に固定するために配置した複数の固定部材用の孔とを有し、
前記固定部材用の孔は、装置奥行略中央位置より前記装置開口部寄りに配置したことを特徴とする自動取引装置。
【発明の詳細な説明】
【技術分野】
【０００１】
本発明は、銀行、コンビニ、消費者金融などに設置される自動取引装置に関するものである。
【背景技術】
【０００２】
近年、現金自動預払い機等の自動取引装置が、銀行、コンビニ、消費者金融など各所に設置されている。比較的安全な銀行ロビー等では自動取引装置は自立筐体として床に直接設置される場合が多い。一方、コンビニ、消費者金融などに設置される自動取引装置の場合では、盗難防止のためにアンカーボルトによって地面に固定して設置される（例えば、特開２００２−３２８１８号公報（特許文献１）参照）。更に、近時では、耐加重性を強化し安全性を向上するために４個程度のアンカーボルトによって固定するのが一般的となってきている。
図２３は従来の自動取引装置の構成を示す斜視図である。更に、図２４は従来の自動取引装置の内部を上方から見た説明図である。
【０００３】
図２３及び図２４に示すように、自動取引装置１０１の装置内には、金庫ユニット５並びに、これを制御するための制御ボード１０ａ、配線材１０ｂ及びコネクタ１０ｃ等の装置内部品１０が配置されている。
金庫ユニット５は、保守等の際にスライドレール１１によって矢印Ａ方向に引出すことができるようになっている。また、装置底板３には、装置正面側に２個のアンカーボルト孔１０９ａ及び１０９ｂが配置され、最も奥側の位置に２個のアンカーボルト孔１０９ｃ及び１０９ｄが配置されている。
そして、自動取引装置１０１を地面に固定して設置する際に、これらのアンカーボルト孔１０９ａ、１０９ｂ、１０９ｃ及び１０９ｄに、あらかじめ地面にコンクリート等で埋設したアンカーボルトを貫通させ、ナット等で固定される。
【先行技術文献】
【特許文献】
【０００４】
【特許文献１】特開２００２−３２８１８号公報
【発明の概要】
【発明が解決しようとする課題】
【０００５】
上記構成の自動取引装置１０１によれば、開閉鍵２ａを開錠し金庫扉２を矢印Ｂ方向に開くことによって装置正面側の２か所のアンカーボルト孔１０９ａ、１０９ｂの位置には手が届き、アンカーボルトによる装置固定作業を行うことができる。
ところが、コンビニ等に設置されるスリム型の自動取引装置では、奥行の長さＬｚは１ｍ程度以上あり、金庫扉２を開いたときの装置開口部２ｂは、幅が約３００ｍｍ、高さ約５００ｍｍ程度と狭いものが多い。更に、装置内には、金庫ユニット５並びに制御ボード１０ａ、配線材１０ｂ及びコネクタ１０ｃ等の装置内部品１０がある。そのため最も奥側の位置の２か所のアンカーボルト孔１０９ｃ、１０９ｄには手が届かず、アンカーボルトによる装置固定作業を行うことが困難である。
【０００６】
このため、作業員は金庫ユニット５を矢印Ａ方向に取り出し、更に、一旦コネクタ１０ｃを外し、金庫ユニット５等を全て取り出してから、身体を装置内に進入させてアンカーボルトによる装置固定作業を行う必要があった。更に、作業員はアンカーボルトによる装置固定作業を行った後、再度、金庫ユニット５並びに制御ボード１０ａ、配線材１０ｂ及びコネクタ１０ｃ等の装置内部品１０を装着し直す必要があった。
このように、従来の自動取引装置１０１においては、設置作業が煩雑で時間が掛かるという問題があり、更に、制御ボード１０ａ、配線材１０ｂ及びコネクタ１０ｃ等の装置内部品１０の再装着における作業不具合によって、初期不良が発生するなどの問題もあった。
【０００７】
本発明は、このような問題を解決することを課題とし、金庫ユニット５並びに制御ボード１０ａ、配線材１０ｂ及びコネクタ１０ｃ等の装置内部品１０を取外すことなく、装置出荷時の状態に近い状態のままで、アンカーボルトによる装置固定作業を行うことが可能な自動取引装置を提供することを目的とする。
【課題を解決するための手段】
【０００８】
上記課題を解決するために本発明に関する自動取引装置は、装置の側面に形成される装置筐体と、前記装置の前面に装置開口部を形成する開閉可能な扉と、前記装置の底部に形成される装置底板と、前記装置底板に載置される前記装置の内部ユニットと、前記内部ユニットの側面と前記装置筐体との間に前記装置開口部から装置背面側に至る装置奥行に形成される第１の間隙と、、前記装置底板における前記第１の間隙に、前記装置を床に固定するために配置した複数の固定部材用の孔とを有し、前記固定部材用の孔は、装置奥行略中央位置より前記装置開口部寄りに配置したことを特徴とするものである。
【発明の効果】
【００１２】
本発明によれば、装置筐体と内部ユニットとの第１の間隙において、装置奥行略中央位置より装置開口部寄りに配置した固定部材用の孔、特に装置開口部近傍に配置した固定部材用の孔によって装置を固定できるようにしたので、内部ユニット並びに制御ボード１０ａ、配線材１０ｂ及びコネクタ１０ｃ等の装置内部品１０を取外すことなく、装置出荷時の状態に近い状態のままで、固定部材による装置固定作業を行うことができる。その結果、固定部材による装置固定作業が容易になるとともに、内部ユニット及び装置内部品の再装着に基づく初期不良の発生を防止することができる。
【図面の簡単な説明】
【００１３】
【図１】第１の実施の形態に関する自動取引装置の構成を示す斜視図である。
【図２】第１の実施の形態に関する自動取引装置を固定するアンカーボルトの構成を示す側面図である。
【図３】第１の実施の形態に関する自動取引装置の内部を上方から見た説明図である。
【図４】第２の実施の形態に関する自動取引装置の内部を上方から見た説明図である。
【図５】第２の実施の形態に関する自動取引装置の金庫ユニットを引出す動作を示す側面図である。
【図６】第２の実施の形態に関する自動取引装置のアンカーボルトによる装置固定作業を示す説明図である。
【図７】第２の実施の形態に関する自動取引装置のアンカーボルトによる装置固定作業を示す斜視図である。
【図８】第２の実施の形態に関する自動取引装置のアンカーボルトによる装置固定作業を示す斜視図である。
【図９】第３の実施の形態に関する自動取引装置の内部を上方から見た説明図である。
【図１０】第３の実施の形態に関する自動取引装置において用いられる取付工具の説明図である。
【図１１】第３の実施の形態に関する自動取引装置のアンカーボルトによる装置固定作業を示す一部切欠き斜視図である。
【図１２】第３の実施の形態に関する自動取引装置のアンカーボルトによる装置固定作業を示す一部切欠き斜視図である。
【図１３】第４の実施の形態に関する自動取引装置の内部を上方から見た説明図である。
【図１４】第４の実施の形態に関する自動取引装置のアンカーボルトによる装置固定作業を示す一部切欠き斜視図である。
【図１５】第４の実施の形態に関する自動取引装置のアンカーボルトによる装置固定作業を示す一部切欠き斜視図である。
【図１６】第５の実施の形態に関する自動取引装置の内部を上方から見た説明図である。
【図１７】第５の実施の形態に関する自動取引装置のアンカーボルトによる装置固定作業を示す説明図である。
【図１８】第５の実施の形態に関する自動取引装置のアンカーボルトによる装置固定作業を示す斜視図である。
【図１９】第５の実施の形態に関する自動取引装置のアンカーボルトによる装置固定作業の動作を示す斜視図である。
【図２０】第１の実施の形態の変形例１に関する自動取引装置を示す斜視図である。
【図２１】実施の形態の変形例２に関する自動取引装置のアンカーボルト孔の配置構成を示す説明図である
【図２２】第２の実施の形態の変形例３に関する自動取引装置のアンカーボルト孔による装置固定作業を示す説明図である。
【図２３】従来の自動取引装置の構成を示す斜視図である。
【図２４】従来の自動取引装置の内部を上方から見た説明図である。
【発明を実施するための形態】
【００１４】
（第１の実施の形態）
以下に本発明を実施するための最良の形態である第１の実施の形態を説明する。各図面に共通な要素には同一の符号を付す。以下、第１の実施の形態に関する自動取引装置の構成を説明する。なお、以下の説明では、装置正面側に金庫扉２を備え、金庫扉２を開いて装置正面側から保守が可能な自動取引装置を例として説明するが、背面側或いは側面側に金庫扉２を備え、背面側或いは側面側から保守を行う自動取引装置であってもよい。
【００１５】
図１は、第１の実施の形態に関する自動取引装置の構成を示す斜視図である。自動取引装置１は、装置筐体１ｘによって覆われ、装置正面側には、金庫扉２、顧客操作部２１、カード挿入返却口２２、通帳挿入返却口２３及び現金入出金口２４が備えられている。
装置筐体１ｘは鋼板からなり、自動取引装置１の側面、背面及び上面を形成する。底面としての装置底板３については後述する。自動取引装置１の一方の面としての前面には、装置開口部２ｂを形成する開閉可能な扉としての金庫扉２を有する。金庫扉２は、自動取引装置１の正面側から見て左側に開閉鍵２ａを有し、開閉鍵２ａを開錠又は施錠することによって、自動取引装置１の正面側から見て右側の扉支点２−１を中心に矢印Ｂｘ方向に開閉可能である。この金庫扉２は、自動取引装置１の設置の際又は保守の際に開かれ、装置開口部２ｂを形成する。金庫扉２を開いたときに形成される装置開口部２ｂから自動取引装置１の設置作業及び保守作業が行われる。この金庫扉２は、防犯上から強化扉とするのがよい。
【００１６】
顧客操作部２１は、現金入出金等の自動取引を行うための操作誘導画面を表示し、顧客が、所望とする各取引に応じて選択操作及び入力操作を行うためのものである。現金入出金口２４は、入金取引における紙幣及び硬貨等の現金の投入を行うとともに、出金取引における紙幣及び硬貨等の現金の取出しを行う入出金口である。カード挿入返却口２２は、キャッシュカード等のカードの挿入及び返却を行う挿入返却口である。通帳挿入返却口２３は、通帳取引を行う際に通帳の挿入及び返却を行う挿入返却口である。
第１の実施の形態に関する自動取引装置１は、これらの各部を用いて、顧客の操作により入出金取引及び通帳取引などが行える構成となっている。例えば、入金取引においては、現金入出金口２４から入金された現金は後述する金庫ユニット５に収納される。また、出金取引においては、金庫ユニット５から現金が繰り出され、現金入出金口２４に出金される。
【００１７】
一方、自動取引装置１の装置内には、装置底板３と、内部ユニットとしての金庫ユニット５と、金庫ユニット５を制御するため金庫ユニット５に付属する装置内部品１０としての制御ボード１０ａ、配線材１０ｂ及びコネクタ１０ｃが配置されている。そして、内部ユニットとしての金庫ユニット５と装置筐体１ｘとの間は、後述する第１の間隙Ｌ１が形成される。
装置底板３は、自動取引装置１の底部に形成され、自動取引装置１の内部ユニットとしての金庫ユニット５を保持する。装置底板３は厚板鋼板からなり、自動取引装置１の装置筐体１ｘからなる側面及び背面に溶接等で固定され、内部ユニットとしての金庫ユニット５及び装置内部品１０を載置する。また、装置底板３は、複数のアンカーボルト孔９ａ、９ｂ、９ｃ及び９ｄを備え、後に図２に示す固定部材としてのアンカーボルト７によって自動取引装置１をグランド６に固定する。
【００１８】
第１の実施の形態に関するアンカーボルト孔９ａ、９ｂ、９ｃ及び９ｄは、装置底板３において、装置筐体１ｘと金庫ユニット５の間の左右に形成された後述する第１の間隙Ｌ１の装置開口部２ｂの近傍に左右それぞれ２個ずつ配置されている。即ち、装置開口部２ｂから見て装置左側の第１の間隙Ｌ１にアンカーボルト孔９ａ及び９ｃが配置され、装置右側の第１の間隙Ｌ１にアンカーボルト孔９ｂ及び９ｄが配置されている。
自動取引装置１は、グランド６に設置する際に、後述するようにあらかじめグランド６に設けられたアンカーボルト７をアンカーボルト孔９ａ、９ｂ、９ｃ及び９ｄに貫通させ、ナット等で固定される。以下、アンカーボルト孔９ａ、９ｂ、９ｃ及び９ｄを総称するときは「アンカーボルト孔９」という。
【００１９】
内部ユニットとしての金庫ユニット５は、入金取引において入金された現金を収納し、更に出金取引において現金の繰出しを行うものである。金庫ユニット５は、装置開口部２ｂから見て左右の下側面に、装置開口部２ｂを介して装置外に移動可能な移動手段としてのスライドレール１１を備える。スライドレール１１の固定部１１ａ側は装置底板３に固定される。そして、自動取引装置１の設置又は保守の際に、金庫ユニット５はスライドレール１１によって矢印Ａ方向にスライドさせて、装置外まで引出すことができる構造となっている。
なお、スライドレール１１は装置底板３に固定される場合を例示したが、本実施の形態はかかる例に限定されず、例えば、スライドレール１１は装置筐体１ｘ内の側面に固定される場合等でもよい。
【００２０】
金庫ユニット５と装置筐体１ｘの間の左右に形成された第１の間隙Ｌ１において、装置開口部２ｂから見て金庫ユニット５の右側面には制御ボード１０ａが固定されている。制御ボード１０ａは、金庫ユニット５の右側面における装置奥行略中央よりやや装置開口部２ｂ寄りに設けられる。制御ボード１０ａは金庫ユニット５のメカ制御を行う制御基板等からなり、後述の配線材１０ｂが接続されている。制御ボード１０ａは、入金取引においては入金された現金の収納制御、出金取引においては現金の繰出制御等を行う。配線材１０ｂは、自動取引装置１のコネクタ１０ｃと制御ボード１０ａを接続するための接続コードである。コネクタ１０ｃは金庫ユニット５と装置筐体１ｘの間の左右に形成された第１の間隙Ｌ１において、装置開口部２ｂから見て右側面の第１の間隙Ｌ１の装置底板３に固定され、配線材１０ｂと接続されている。
制御ボード１０ａ及び配線材１０ｂは、金庫ユニット５をスライドレール１１によって装置外まで引出すときに、同時に装置外に引き出されるが、コネクタ１０ｃは装置内に固定されたままになっている。
【００２１】
次に、自動取引装置１を床に固定する固定部材としてのアンカーボルト７の構成を説明する。図２は、第１の実施の形態に関する自動取引装置を固定するアンカーボルトの構成を示す側面図である。アンカーボルト７は、装置底板３のアンカーボルト孔９ａ、９ｂ、９ｃ及び９ｄの位置に合わせて設けられ、自動取引装置１を設置する前工程として、図２に示すようにグランド６に埋設される。
即ち、先ず、自動取引装置１を設置するグランド６に、装置底板３のアンカーボルト孔９ａ、９ｂ、９ｃ及び９ｄの位置に合わせて、アンカーボルト７を埋設するための穴を開ける。そして、その開けた穴にアンカーボルト７を挿入してコンクリート等で固定する。
【００２２】
そして、自動取引装置１を設置する際に、図２に示すように、アンカーボルト７を装置底板３のアンカーボルト孔９ａ、９ｂ、９ｃ及び９ｄに貫通させ、それぞれナット８ａ及びワッシャー８ｂによってアンカーボルト７を固定する。こうして自動取引装置１をグランド６に固定する。
なお、アンカーボルト７の直径Ｄ１、Ｄ２及びアンカーボルト７の長さＬｋ等は、自動取引装置１の前後左右方向から力を加えられたときに、アンカーボルト７が変形し自動取引装置１の傾きの発生、又はアンカーボルト７の折損が発生しない耐加重となるように設定する。
【００２３】
次に、図３によって自動取引装置１のアンカーボルト孔の配置構成を説明する。図３は、第１の実施の形態に関する自動取引装置の内部を上方から見た説明図である。なお、図３は、金庫扉２を矢印Ｂｘ方向に開いた状態を示す。自動取引装置１は、装置開口部２ｂから見て金庫ユニット５の右側の第１の間隙Ｌ１には、制御ボード１０ａ及び配線材１０ｂ等の装置内部品１０が配置されており、金庫ユニット５の左側の第１の間隙Ｌ１には、これらは配置されていない。自動取引装置１の装置底板３には、固定部材用の孔としてのアンカーボルト孔９が装置開口部２ｂから見て最も奥側の位置には配置されない。アンカーボルト孔９は、最も奥側の位置より手前側、即ち装置開口部２ｂ寄りに配置されている。
【００２４】
即ち、アンカーボルト孔９は、装置開口部２ｂから見て金庫ユニット５の左右に有する第１の間隙Ｌ１において、装置開口部２ｂの近傍にそれぞれ複数個、つまり、左右それぞれ２個ずつ配置される構成となっている。具体的には、装置左側の第１の間隙Ｌ１には、装置開口部２ｂの直近に配置されたアンカーボルト孔９ａ及び装置開口部２ｂからやや離れて配置されたアンカーボルト孔９ｃを前後に配置した構成である。一方、装置右側の第１の間隙Ｌ１には、装置開口部２ｂの直近に配置されたアンカーボルト孔９ｂ及び装置開口部２ｂからやや離れて配置されたアンカーボルト孔９ｄを前後に配置した構成となっている。
このように第１の間隙Ｌ１とは、内部ユニットとしての金庫ユニット５と装置筐体１ｘとの間に形成される間隙であって、装置底板３において、固定部材用の孔としてのアンカーボルト孔９が形成される間隙である。
ここで、装置右側のアンカーボルト孔９ｂ及び９ｄは、アンカーボルト７による装置固定作業を行い易いように、制御ボード１０ａ及び配線材１０ｂ等の装置内部品１０と干渉しない位置に配置するのがよい。
【００２５】
以上の構成により、第１の実施の形態に関する自動取引装置１のアンカーボルト７による装置固定作業は以下のように行う。最初に、作業員はアンカーボルト７をグランド６に固定するアンカーボルト固定作業を行う。このアンカーボルト固定作業は、先ず、自動取引装置１を設置するグランド６にアンカーボルト７を埋設するための穴を開ける。穴を開ける位置は、図３に示すアンカーボルト孔９ａ、９ｂ、９ｃ及び９ｄに対応する４箇所の位置に合わせる。そして、開けた穴にアンカーボルト７を挿入して図２に示すようにコンクリート等で固定する。
【００２６】
次に、作業員はアンカーボルト７によって自動取引装置１を固定する装置固定作業を行う。このアンカーボルト７による装置固定作業は、先ず、グランド６に固定したアンカーボルト７が、自動取引装置１の装置底板３のアンカーボルト孔９ａ、９ｂ、９ｃ及び９ｄをそれぞれ貫通するように自動取引装置１を設置する。
次に、作業員は図３に示すように、金庫扉２の開閉鍵２ａを開錠し、矢印Ｂｘ方向に金庫扉２を開く。次に、作業員はアンカーボルト孔９ａ、９ｂ、９ｃ及び９ｄに貫通したアンカーボルト７をナット８ａ及びワッシャー８ｂによってそれぞれ固定する。この装置固定作業は、左右の第１の間隙Ｌ１におけるアンカーボルト孔９が、装置開口部２ｂ近傍に配置されているので容易に行うことができる。作業員はアンカーボルト７による装置固定作業が終了すると、金庫扉２を閉じて開閉鍵２ａにより施錠する。以上により自動取引装置１のアンカーボルト７による装置固定作業は完了する。
【００２７】
以上のように、第１の実施の形態に関する自動取引装置１によれば、装置開口部２ｂから見て左右の装置筐体１ｘと金庫ユニット５との第１の間隙Ｌ１において、装置底板３の装置開口部２ｂ近傍に複数個のアンカーボルト孔９を配置するようにしたので、装置内に設置されている金庫ユニット５及び装置内部品１０の引出し及び取外しを行うことなく、アンカーボルト７による装置固定作業を行うことができる。その結果、アンカーボルト７による装置固定作業が簡単に短時間で行うことができる。また、金庫ユニット５及び装置内部品１０の再装着の必要がないので、これらの再装着に基づく作業不具合による初期不良の発生をも防止することができる。
【００２８】
（第２の実施の形態）
次に、第２の実施の形態に関する自動取引装置１の構成を説明する。第２の実施の形態に関する自動取引装置１の構成は、図１に示した第１の実施の形態に関する自動取引装置１とは、アンカーボルト孔９の配置構成が異なる。また、金庫ユニット５を装置外に移動させるスライドレール１１が設けられ、金庫ユニット５を装置外に引出したときに、装置開口部２ｂと金庫ユニット後端５ｂ間に作業用の間隙としての第２の間隙Ｌαが形成される構造となっている。その他の構成は第１の実施の形態に関する自動取引装置１の構成と同様であるので、簡略化のために同様の構成についてはその説明を省略する。
【００２９】
先ず、図４により装置底板３に備えるアンカーボルト孔９の配置構成を説明する。図４は、第２の実施の形態に関する自動取引装置の内部を上方から見た説明図である。第２の実施の形態に関する自動取引装置１の装置底板３には、固定部材用の孔としてのアンカーボルト孔９が装置開口部２ｂから見て最も奥側の位置には配置されない。アンカーボルト孔９は最も奥側の位置より手前側、即ち装置奥行略中央の装置開口部２ｂ寄りに配置されている。即ち、複数のアンカーボルト孔９は、装置筐体１ｘと金庫ユニット５間の左右に形成された第１の間隙Ｌ１において、装置開口部２ｂの近傍及び装置奥行略中央に左右それぞれに配置される構成となっている。
【００３０】
具体的には、装置左側の装置筐体１ｘと金庫ユニット５間の第１の間隙Ｌ１においては、装置開口部２ｂの近傍にアンカーボルト孔９ａを配置し、装置奥行略中央にアンカーボルト孔９ｃを配置する。一方、装置右側の装置筐体１ｘと金庫ユニット５間の第１の間隙Ｌ１においては、装置開口部２ｂの近傍にアンカーボルト孔９ｂを配置し、装置奥行略中央にアンカーボルト孔９ｄを配置した構成となっている。装置奥行略中央に配置したアンカーボルト孔９ｃ及び９ｄは、装置開口部２ｂから装置奥行長さＬｘの位置に配置している。装置開口部２ｂ近傍に配置したアンカーボルト孔９ａ及び９ｂは、第１の実施の形態に関する自動取引装置１と同様の位置に配置している。このように装置奥行略中央のアンカーボルト孔９ｃ及び９ｄを配置することによって、装置前後方向、即ち、矢印Ｃ、Ｄ方向からの耐加重性が向上する。
【００３１】
スライドレール１１は、金庫ユニット５を装置外に引出すことによって、装置開口部２ｂと金庫ユニット後端５ｂ間に、後に図６に示す作業用の間隙としての第２の間隙Ｌαが形成できるまで引出せる構造となっている。このように、作業用の間隙としての第２の間隙Ｌαが形成できるようにしたことにより、装置奥行略中央に配置したアンカーボルト孔９ｃ及び９ｄに対するアンカーボルト固定作業が可能となる。
このように第２の間隙Ｌαとは、装置開口部２ｂと引出された金庫ユニット５の金庫ユニット後端５ｂにより形成される間隙であって、アンカーボルト７を装置底板３に固定するための作業用間隙である。特に、後述するように、第２の間隙Ｌαのうち装置左側の左側間隙５１及び装置右側の右側間隙５２が装置固定作業に利用される。
【００３２】
以上の構成により、第２の実施の形態に関する自動取引装置１のアンカーボルト７による装置固定作業は以下のように行う。最初に、作業員はアンカーボルト７をグランド６に固定するアンカーボルト固定作業を行う。このアンカーボルト固定作業で行われるアンカーボルト７を埋設する配置構成は、第１の実施の形態に関する自動取引装置１のアンカーボルト７を埋設する配置構成と異なる。即ち、第２の実施の形態に関する自動取引装置１では、図４に示すように、装置左側の第１の間隙Ｌ１においては、装置開口部２ｂの近傍にアンカーボルト孔９ａを配置し、装置奥行略中央にアンカーボルト孔９ｃを配置する。一方、装置右側の第１の間隙Ｌ１においては、装置開口部２ｂの近傍にアンカーボルト孔９ｂを配置し、装置奥行略中央にアンカーボルト孔９ｄを配置した構成とする。従って、作業員は、それぞれのアンカーボルト７をこのアンカーボルト孔９ａ、９ｂ、９ｃ及び９ｄの配置構成に基づいて埋設する。アンカーボルト７をグランド６に固定する作業は、第１の実施の形態に関する自動取引装置１の説明において図２を用いて説明した作業と同様であるので簡略化のためのその説明は省略する。
【００３３】
次に、作業員はアンカーボルト７によって自動取引装置１を固定する装置固定作業を行う。このアンカーボルト７による装置固定作業は、先ず、グランド６に固定したアンカーボルト７が、自動取引装置１の装置底板３のアンカーボルト孔９ａ、９ｂ、９ｃ及び９ｄをそれぞれ貫通するように自動取引装置１を設置する。そして、作業員は金庫扉２の開閉鍵２ａを開錠し、図４の破線で示すように、金庫扉２を矢印Ｂｘ方向に開く。
【００３４】
次に、作業員は金庫ユニット５をスライドレール１１によって矢印Ａ方向にスライドさせて装置外に引き出す。図５は、第２の実施の形態に関する自動取引装置の金庫ユニットを引出す動作を示す側面図である。なお、図５は、金庫扉２が開いた状態を示す。図５に示すように、破線で示した装置内の金庫ユニット５を、実線で示した位置まで矢印Ａ方向にスライドさせて装置外に引き出す。このとき、金庫ユニット５の右側面に固定されている制御ボード１０ａ及び配線材１０ｂは金庫ユニット５とともに引き出されるが、コネクタ１０ｃは装置内に固定されたままである。スライドレール１１によって金庫ユニット５が装置外に引き出されると、装置開口部２ｂと金庫ユニット後端５ｂ間に、作業用の間隙としての第２の間隙Ｌαが形成される。
【００３５】
次に、作業員はアンカーボルト孔９ａ、９ｂ、９ｃ及び９ｄに貫通したそれぞれのアンカーボルト７を固定する作業を行う。図６は、第２の実施の形態に関する自動取引装置のアンカーボルトによる装置固定作業を示す説明図である。図６に示すように、金庫ユニット５を矢印Ａ方向に引出すことによって、装置開口部２ｂと金庫ユニット後端５ｂ間に、アンカーボルト７を装置底板３に固定する作業用の間隙としての第２の間隙Ｌαが形成される。特に、第２の間隙Ｌαのうち装置左側に破線で示す左側間隙５１及び装置右側に破線で示す右側間隙５２が形成される。
そして、まず作業員は、装置左側の左側間隙５１から右腕を挿入し、アンカーボルト孔９ａ及び９ｃに貫通したそれぞれのアンカーボルト７をナット８ａ及びワッシャー８ｂによって固定する。図７は、第２の実施の形態に関する自動取引装置のアンカーボルトによる装置固定作業を示す斜視図である。
【００３６】
図７に示すように、左側間隙５１には制御ボード１０ａ及び配線材１０ｂは配置されていないので、作業員は左側間隙５１から右腕の挿入が容易になる。作業員は、矢印Ｅ方向に右腕を伸ばせば、アンカーボルト孔９ａ及び９ｃに貫通したそれぞれのアンカーボルト７をナット８ａ及びワッシャー８ｂによって容易に固定することができる。
次に、作業員は図６に示す装置右側の右側間隙５２から左腕を挿入し、アンカーボルト孔９ｂ及び９ｄに貫通したそれぞれのアンカーボルト７をナット８ａ及びワッシャー８ｂによって固定する。図８は、第２の実施の形態に関する自動取引装置のアンカーボルトによる装置固定作業を示す斜視図である。
【００３７】
図８に示すように、制御ボード１０ａは、金庫ユニット５の右側面における装置奥行略中央よりやや装置開口部２ｂ寄りに設けられる。従って、金庫ユニット５をスライドさせると、制御ボード１０ａは右側間隙５２から退避しているので、作業員は装置右側から左腕の挿入が容易になる。作業員は制御ボード１０ａ及び配線材１０ｂを避けながら矢印Ｆ方向に左腕を伸ばせば、アンカーボルト孔９ｂ及び９ｄに貫通したそれぞれのアンカーボルト７を固定することができる。
アンカーボルト７による装置固定作業が終了すると、作業員は金庫ユニット５をスライドレール１１によってスライドさせて装置内に押し込んで固定する。そして、金庫扉２を閉じて開閉鍵２ａにより施錠する。以上により自動取引装置１のアンカーボルト７による装置固定作業は完了する。
【００３８】
なお、以上の説明では、装置開口部２ｂ近傍に配置したアンカーボルト孔９ａ及び９ｂについて、作業員が金庫ユニット５を引出した後に、アンカーボルト７による装置固定作業を行うように説明したが、作業員が金庫ユニット５を引出す前に装置固定作業を行ってもよい。即ち、作業員が金庫ユニット５を引出す前に、装置開口部２ｂ近傍に配置したアンカーボルト孔９ａ及び９ｂに貫通したアンカーボルト７をナット８ａ及びワッシャー８ｂによってそれぞれ固定する。次に、作業員が金庫ユニット５を引出した後に、アンカーボルト孔９ｃ及び９ｄに貫通したアンカーボルト７をナット８ａ及びワッシャー８ｂによってそれぞれ固定する。
このように、金庫ユニット５を引出す前に、装置開口部２ｂ近傍に配置したアンカーボルト孔９ａ及び９ｂのアンカーボルト７を固定しておくことによって、金庫ユニット５を引出すときに自動取引装置１が転倒することを防止することができる。
【００３９】
以上のように、第２の実施の形態に関する自動取引装置１によれば、装置開口部２ｂから見て左右に形成された装置筐体１ｘと金庫ユニット５間の第１の間隙Ｌ１において、装置開口部２ｂ近傍にアンカーボルト孔９ａ及び９ｂを、更に装置奥行略中央にアンカーボルト孔９ｃ及び９ｄを配置するようにした。更にスライドレール１１によって金庫ユニット５を装置外に引出すことにより、装置開口部２ｂと金庫ユニット後端５ｂとの間にアンカーボルト７を装置底板３に固定する作業用の第２の間隙Ｌαが形成される構造となっているので、第１の実施の形態に関する自動取引装置１の効果に加え、自動取引装置１の耐加重性も向上させることができる。
【００４０】
（第３の実施の形態）
次に、第３の実施の形態に関する自動取引装置１の構成を説明する。第３の実施の形態に関する自動取引装置１は、図１に示した第１の実施の形態に関する自動取引装置１と、アンカーボルト孔９の配置構成が同じである。また、第２の実施の形態に関する自動取引装置１と同様に、金庫ユニット５を装置外に移動させるスライドレール１１が設けられ、金庫ユニット５を装置外に引出したときに、装置開口部２ｂと金庫ユニット後端５ｂ間にアンカーボルト７を装置底板３に固定する作業用の間隙としての第２の間隙Ｌαが形成できるまで引出せる構造となっている。その他の構成は第１の実施の形態に関する自動取引装置１の構成と同様であるので、簡略化のために同様の構成についてはその説明を省略する。
【００４１】
先ず、図９によって自動取引装置１の固定部材用の孔としてのアンカーボルト孔９の配置構成を説明する。図９は、第３の実施の形態に関する自動取引装置の内部を上方から見た説明図である。なお、図９は、金庫扉２を矢印Ｂｘ方向に開き、金庫ユニット５をスライドレール１１によって矢印Ａ方向にスライドさせて引出した状態を示す。
第３の実施の形態に関するアンカーボルト孔９ａ、９ｂ、９ｃ及び９ｄは、第１の実施の形態と同様に、装置底板３において、装置筐体１ｘと金庫ユニット５の間の左右に形成された第１の間隙Ｌ１の装置開口部２ｂの近傍に左右それぞれ２個ずつ配置されている。即ち、装置開口部２ｂから見て装置左側の第１の間隙Ｌ１にアンカーボルト孔９ａ及び９ｃが配置され、装置右側の第１の間隙Ｌ１にアンカーボルト孔９ｂ及び９ｄが配置されている。そして、アンカーボルト孔９ａ及び９ｂは装置開口部２ｂの直近に配置され、アンカーボルト孔９ｃ及び９ｄは装置開口部２ｂからやや離れて配置される。
【００４２】
第３の実施の形態に関する自動取引装置１では、スライドレール１１によって金庫ユニット５を引き出し、作業用間隙としての第２の間隙Ｌαを形成する、特に、装置左側に左側間隙５１及び装置右側に右側間隙５２を形成するようにしたことにより、装置開口部２ｂからやや離れて配置されたアンカーボルト孔９ｃ及び９ｄに対するアンカーボルト固定作業が可能となる。
図９において、アンカーボルト孔９ｃ及び９ｄの周囲に後述する取付工具２０を破線で示す。また、第３の実施の形態に関する自動取引装置１では、装置底板３に固定された装置内部品、即ち固定された装置内部品としてのコネクタ１０ｃが装置奥行略中央に配置された例となっている。
【００４３】
ここで、アンカーボルト７を固定する作業は、第１の実施の形態に関する自動取引装置１と同様に、アンカーボルト孔９に貫通したそれぞれのアンカーボルト７をナット８ａ及びワッシャー８ｂによって固定するものである。第３の実施の形態に関する自動取引装置１では、このナット８ａの締付けには、取付工具２０が用いられる。取付工具２０としては、ソケットレンチ、スパナ、モンキーレンチ等が用いられるが、特に装置筐体１ｘ近傍での作業においては、操作性のよいソケットレンチが用いられる。
【００４４】
図１０は、第３の実施の形態に関する自動取引装置において用いられる取付工具の説明図である。なお、図１０（ａ）は取付工具２０の上面図であり、図１０（ｂ）は取付工具２０の側面図である。取付工具２０は、ソケット装着部２０ａ、ハンドル２０ｂ、設定レバー２０ｄ、リリースボタン２０ｅから構成される。取付工具２０は、ソケット装着部２０ａを中心にハンドル２０ｂを回転及び逆方向に回転させることにより、即ち往復動作をすることによりソケット装着部２０ａに装着したナット８ａを回転することができる。
ソケット装着部２０ａは、ラチェット機構が組み込まれており、設定された方向への所定量の回転により被締付部材となるナット８ａを回転させ、逆方向への回転では空転する。このソケット装着部２０ａには、ナット８ａの大きさに応じた任意のソケット２０ｓを装着させることができる。
ハンドル２０ｂは、取付工具２０を往復動作させる際に、作業員が把持する部分である。設定レバー２０ｄは、ナット８ａを回転させる方向をＣＷ方向（時計回り）又はＣＣＷ方向（反時計回り）のいずれかに設定するレバーである。リリースボタン２０ｅは、装着したソケット２０ｓをソケット装着部２０ａから外すときに押下するボタンである。
【００４５】
また、工具回転半径Ｒｔは、取付工具２０の回転支点２０ｃを支点とした取付工具２０の回転半径を示す。作用半径Ｍｒはモーメントアームの長さ、即ち作業員の手による引張加重又は押圧荷重の作用重心点Ｍ１となる半径である。余剰端長さΔＬａは作用重心点Ｍ１からハンドル２０ｂの先端部までの余剰長さである。なお、実験によれば、余剰端長さΔＬａは成人男子でも４ｃｍ以内であった。
【００４６】
取付工具２０としてソケットレンチを用いれば、ハンドル２０ｂを矢印Ｍ方向に往復させるだけで回転支点２０ｃを支点としてナット８ａを回転させて締付けることができる。
即ち、作業員は、設定レバー２０ｄによってナット８ａを締付ける方向を設定する。通常、アンカーボルト７として右ねじを使用するので、ＣＷ方向（時計回り）にセットする。次に、ナット８ａに合った任意のソケット２０ｓをソケット装着部２０ａに装着する。そして、ナット８ａにソケット２０ｓを嵌め込み、ハンドル２０ｂを握って矢印Ｍ方向に往復させることによって、ナット８ａを締付けることができる。
【００４７】
再び図９に戻って、第３の実施の形態に関する自動取引装置１のアンカーボルト固定作業においては、上記取付工具２０を使用し、矢印Ｇａ、Ｇｂ方向に略水平方向に回転させ、元の位置に戻すといった往復動作によってナット８ａを回転させ締め付ける。
このときの取付工具２０の回転角θｔは、装置筐体１ｘ近傍おいてナット８ａを締付けるときの作業性、即ち往復動作の回数を考慮すると、略１８０度とするのが最もよい。
第３の実施の形態に関する自動取引装置１では、装置内部品１０が配置された装置右側において、装置開口部２ｂからやや離れたアンカーボルト孔９ｄは、この取付工具２０の回転によって、取付工具２０が装置内部品１０のコネクタ１０ｃと干渉しないように配置している。
【００４８】
具体的には、例えばアンカーボルト孔９ｄの位置は、取付工具２０を略１８０度回転させることができるように、コネクタ１０ｃから装置開口部２ｂ寄りに離間距離Ｌｇ分離間して配置する。そして、離間距離Ｌｇは取付工具２０の略工具回転半径Ｒｔ以上とする。
また、装置左側は装置右側とで同様の作業とするために、装置左側の装置開口部２ｂからやや離れたアンカーボルト孔９ｃはアンカーボルト孔９ｄと左右対称な位置になるように配置させる。
【００４９】
ここで、Ｔ系列規格（一般用途）のねじの標準締付けトルクをＴｓ（Ｎ・ｍ）、作業員となる成人の腕による押す力又は引く力をＦｐ（ｋｇｆ）、作業員による作用半径をＭｒ（ｃｍ）とすると、ナット８ａの締付けには式１を満たす必要がある。即ち、
Ｍｒ（ｃｍ）  ≧  （Ｔｓ（Ｎ・ｍ）×１０．２）／Ｆｐ（Ｋｇｆ）    （式１）
自動取引装置１をグランド６に固定のためのアンカーボルト７としてＭ８ねじを使用したとすると、Ｔ系列規格（一般用途）の標準締付けトルクＴｓは、１２．５Ｎ・ｍである。また、実験によれば、成人の腕による押す力又は引く力Ｆｐは、利き腕では平均９ｋｇｆ程度であり、利き腕でない腕でも平均８ｋｇｆ以上であった。
【００５０】
以上の測定結果から作業員による押す力又は引く力を８Ｋｇｆとすると、式１から作用半径Ｍｒ（ｃｍ）≧約１５．６ｃｍとなる。従って、図１０に示す余剰端長さΔＬａ＝４ｃｍを考慮しても、工具回転半径Ｒｔは略２０ｃｍとすればよい。
即ち、装置開口部２ｂからやや離れたのアンカーボルト孔９ｄの位置は、工具回転半径Ｒｔが略２０ｃｍの取付工具２０を使用しても固定された装置内部品のコネクタ１０ｃと干渉しないようにすればよい。従って、アンカーボルト孔９ｄの位置は、固定された装置内部品のコネクタ１０ｃから略工具回転半径Ｒｔとなる離間距離Ｌｇ＝略２０ｃｍ以上離した位置に配置する。
【００５１】
以上の構成により、第３の実施の形態に関する自動取引装置１のアンカーボルト７による装置固定作業は以下のように行う。最初に、作業員はアンカーボルト７をグランド６に固定するアンカーボルト固定作業を行う。第３の実施の形態に関する自動取引装置１では、図９に示すようにアンカーボルト孔９ｄが固定装置部品であるコネクタ１０ｃから離間距離Ｌｇ離間して配置され、アンカーボルト孔９ｃも同様の位置に配置された配置構成となっている。作業員は、この配置構成を考慮してそれぞれのアンカーボルト７を埋設する。なお、アンカーボルト７をグランド６に固定する作業は、第１の実施の形態に関する自動取引装置１と同様であるので簡略化のためのその説明は省略する。
【００５２】
次に、作業員はアンカーボルト７によって自動取引装置１を固定する装置固定作業を行う。このアンカーボルト７による装置固定作業は、先ず、グランド６に固定した複数のアンカーボルト７が、自動取引装置１の装置底板３に設けられた複数のアンカーボルト孔９ａ、９ｂ、９ｃ及び９ｄをそれぞれ貫通するように自動取引装置１を設置する。そして、作業員は金庫扉２の開閉鍵２ａを開錠し、金庫扉２を矢印Ｂｘ方向に開く。
次に、作業員は金庫ユニット５をスライドレール１１によって矢印Ａ方向にスライドさせて装置外に引き出す。スライドレール１１によって金庫ユニット５が装置外に引き出されると、装置開口部２ｂと金庫ユニット後端５ｂ間に、アンカーボルト７を装置底板３に固定する作業用の間隙としての第２の間隙Ｌα、特に、装置左側に左側間隙５１及び装置右側に右側間隙５２が形成される。
【００５３】
次に、作業員はアンカーボルト孔９ａ、９ｂ、９ｃ及び９ｄに貫通したそれぞれのアンカーボルト７を固定する作業を行う。先ず、作業員は装置左側の左側間隙５１から右腕を挿入し、アンカーボルト孔９ａ及び９ｃに貫通したそれぞれのアンカーボルト７をナット８ａ及びワッシャー８ｂによって固定する。このナット８ａの締付けには、図１０に示す取付工具２０を用いる。
図１１は、第３の実施の形態に関する自動取引装置のアンカーボルトによる装置固定作業を示す一部切欠き斜視図である。なお、図１１は、装置開口部２ｂからやや離れて配置されたアンカーボルト孔９ｃに貫通したアンカーボルト７を固定する場合を示すが、装置開口部２ｂの直近に配置されたアンカーボルト孔９ａに貫通したアンカーボルト７を固定する場合も同様である。
【００５４】
図１１に示すように、装置左側の左側間隙５１には制御ボード１０ａ及び配線材１０ｂは配置されていないので、作業員は装置左側から右腕の挿入が容易になる。作業員は、破線で示す装置左側の左側間隙５１から右腕を挿入し、ナット８ａ及びワッシャー８ｂによって仮固定する。次に、作業員は、取付工具２０によってナット８ａを締め付けて固定する。
この締付けは、取付工具２０のソケット装着部２０ａに取付けたソケット２０ｓをナット８ａに押し付けて嵌め込み、ハンドル２０ｂで略水平方向に回転させることによって行われる。左側間隙５１において、作業員は、取付工具２０を装置奥側から矢印Ｇａ方向に装置開口部２ｂ付近まで、略１８０度回転させてナット８ａを締め付け、矢印Ｇａの逆方向に空転させて戻す往復動作を繰り返して、ナット８ａを締め付ける。
【００５５】
次に、作業員は、図１２に示す装置右側の右側間隙５２から左腕を挿入し、アンカーボルト孔９ｂ及び９ｄに貫通したそれぞれのアンカーボルト７をナット８ａ及びワッシャー８ｂによって固定する。
図１２は、第３の実施の形態に関する自動取引装置のアンカーボルトによる装置固定作業を示す一部切欠き斜視図である。なお、図１２は、装置開口部２ｂからやや離れて配置されたアンカーボルト孔９ｄに貫通したアンカーボルト７を固定する場合を示すが、装置開口部２ｂの直近に配置されたアンカーボルト孔９ｂに貫通したアンカーボルト７を固定する場合も同様である。
図１２に示すように、制御ボード１０ａは、金庫ユニット５の右側面における装置奥行略中央よりやや装置開口部２ｂ寄りに固定して設けられる。従って、金庫ユニット５を第２の間隙Ｌαが形成されるまでスライドさせると、制御ボード１０ａは右側間隙５２から退避しているので、作業員は装置右側から左腕の挿入が容易になる。作業員は制御ボード１０ａ及び配線材１０ｂを避けながら左腕によって、アンカーボルト孔９ｂ及び９ｄに貫通したそれぞれのアンカーボルト７を固定することができる。
【００５６】
装置右側において、作業員は取付工具２０を装置開口部２ｂ側から矢印Ｇｂ方向に装置奥側まで、略１８０度回転させてナット８を締め付け、矢印Ｇｂの逆方向に空転させて戻す往復動作を繰り返して、ナット８ａを締め付ける。
このとき、アンカーボルト孔９ｄは、固定された装置内部品としてのコネクタ１０ｃから離間距離Ｌｇ離間した位置に配置されているので、作業員が取付工具２０を略１８０度回転させても固定された装置内部品と干渉しない。
アンカーボルト７による装置固定作業が終了すると、作業員は金庫ユニット５をスライドレール１１によってスライドさせて装置内に押し込んで固定する。そして、作業員は金庫扉２を閉じて開閉鍵２ａにより施錠する。以上により自動取引装置１のアンカーボルト７による装置固定作業は完了する。
【００５７】
なお、以上の説明では、装置開口部２ｂ近傍に配置したアンカーボルト孔９ａ及び９ｂについて、作業員が金庫ユニット５を引出した後に、アンカーボルト７による装置固定作業を行うように説明したが、金庫ユニット５を引出す前に装置固定作業を行ってもよい。即ち、作業員が金庫ユニット５を引出す前に、装置開口部２ｂ近傍に配置したアンカーボルト孔９ａ及び９ｂに貫通したアンカーボルト７をナット８ａ及びワッシャー８ｂによってそれぞれ固定する。次に、作業員は金庫ユニット５を引出した後に、アンカーボルト孔９ｃ及び９ｄに貫通したアンカーボルト７をナット８ａ及びワッシャー８ｂによってそれぞれ固定する。
【００５８】
このように、作業員が金庫ユニット５を引出す前に、装置開口部２ｂ近傍に配置したアンカーボルト孔９ａ及び９ｂのアンカーボルト７を固定しておくことによって、金庫ユニット５を引出すときに自動取引装置１が倒れこむことを防止することができる。
また、以上の説明では、取付工具２０と干渉する固定装置部品がない装置左側のアンカーボルト孔９ｃが、アンカーボルト孔９ｄと左右対称の位置に配置させるように説明したが、取付工具２０を略１８０度回転させることができれば、装置開口部２ｂからやや離れて配置されたアンカーボルト孔９ｃは更に装置奥側に配置してもよい。
【００５９】
以上のように、第３の実施の形態に関する自動取引装置１によれば、アンカーボルト孔９ｄを、装置開口部２ｂから見て左右の装置筐体１ｘと金庫ユニット５間の第１の間隙Ｌ１における装置開口部２ｂ近傍で、固定された装置内部品としてのコネクタ１０ｃから取付工具２０の略工具回転半径Ｒｔ以上装置開口部２ｂ寄りに離間させて配置したので、装置内に設置されている金庫ユニット５及び装置内部品１０の取外しを行うことなく、効率よく、アンカーボルト７による装置固定作業を行うことができる。その結果、第１の実施の形態に関する自動取引装置１の効果に加え、取付工具を用いた装置固定作業をより簡単に短時間で行うことができる。
【００６０】
（第４の実施の形態）
次に、第４の実施の形態に関する自動取引装置１の構成を説明する。第４の実施の形態に関する自動取引装置１の構成は、図９に示した第３の実施の形態に関する自動取引装置１とは、アンカーボルト孔９の配置構成が異なる。また、第２の実施の形態に関する自動取引装置１と同様に、金庫ユニット５を装置外に移動させるスライドレール１１が設けられ、金庫ユニット５を装置外に引出したときに、装置開口部２ｂと金庫ユニット後端５ｂ間に作業用の間隙としての第２の間隙Ｌαが形成できるまで引出せる構造となっている。その他の構成は第１の実施の形態に関する自動取引装置１の構成と同様であるので、簡略化のために同様の構成についてはその説明を省略する。
【００６１】
先ず、図１３により装置底板３に備えるアンカーボルト孔９の配置構成を説明する。図１３は、第４の実施の形態に関する自動取引装置の内部を上方から見た説明図である。なお、図１３は、金庫扉２を矢印Ｂｘ方向に開き、金庫ユニット５をスライドレール１１によって矢印Ａ方向にスライドさせて引出した状態を示す。第４の実施の形態に関する自動取引装置１では、スライドレール１１によって金庫ユニット５を引出し、第２の間隙Ｌαが形成できるようにしたことにより、装置奥行略中央に配置されるアンカーボルト孔９ｃ及び９ｄに対するアンカーボルト固定作業が可能となる。
【００６２】
自動取引装置１の装置底板３には、第２の実施の形態に関する自動取引装置１の装置底板３と同様に、アンカーボルト孔９ａ及び９ｂが装置開口部２ｂの近傍に、かつアンカーボルト孔９ｃ及び９ｄが装置奥行略中央に配置されている。図１３において、アンカーボルト孔９ｃ及び９ｄの周囲に取付工具２０（図１０参照）を破線で示す。第４の実施の形態に関する自動取引装置１では、固定された装置内部品１０としての配線材１０ｂ及びコネクタ１０ｃが装置奥行略中央に配置された例となっている。
【００６３】
ここでアンカーボルト孔９ａ、９ｂ、９ｃ及び９ｄに貫通したそれぞれのアンカーボルト７を固定する作業は、第３の実施の形態に関する説明と同様に、それぞれのアンカーボルト７をナット８ａ及びワッシャー８ｂによって固定することにより行う。このナット８ａの締付けのための取付工具２０としては、第３の実施の形態に関する説明と同様に、操作性のよい取付工具２０としてのソケットレンチが用いられる。この取付工具２０によるナット８ａの締付けは、図１３に示す矢印Ｇａ方向及びＧｂ方向に取付工具２０を略水平方向に回転させて行う。
【００６４】
このナット８ａの締付け作業において、取付工具２０の回転動作は、配線材１０ｂ及びコネクタ１０ｃの装置内部品１０との干渉を避けなければならない。しかし、取付工具２０の回転角θｔは、少なくとも略９０度以上としないと往復動作が多くなり作業効率が悪くなる。また、取付工具２０が装置正面方向（矢印Ｄ方向）に対し直角となっているときがもっとも力が加え易く、このときに作業員の手が取付工具２０のハンドル２０ｂに届いている必要がある。
このことから、第４の実施の形態に関する自動取引装置１における装置奥行略中央のアンカーボルト孔９ｃ、９ｄは、取付工具２０を略９０度回転させることができ、かつ装置開口部２ｂから略成人の腕の長さの範囲内となる装置奥行長さＬｘに配置する。
また、作業員である成人の肘からこぶし中心までの距離は３０ｃｍ程度であることから、装置奥行略中央のアンカーボルト孔９ｃ、９ｄの装置奥行長さＬｘは、略３０ｃｍ程度であってもよい。
【００６５】
また、実験によれば、第２の間隙Ｌαを１０ｃｍ程度としたときの成人、男子でアンカーボルト７による装置固定作業が可能な平均長さＬｘは約５０ｃｍであった。このことから、作業効率を多少犠牲にするとしても、装置奥行略中央のアンカーボルト孔９ｃ、９ｄの装置奥行長さＬｘは略５０ｃｍ程度とするのがよい。
以上のように、装置奥行略中央にアンカーボルト孔９ｃ、９ｄを配置することによって、装置前後方向、即ち、矢印Ｃ、Ｄ方向からの耐加重性を向上させることができる。
【００６６】
以上の構成により、第４の実施の形態に関する自動取引装置１のアンカーボルト７による装置固定作業は以下のように行う。最初に、作業員はアンカーボルト７をグランド６に固定するアンカーボルト固定作業を行う。第４の実施の形態に関する自動取引装置１では、図１３に示すように装置奥行略中央に配置したアンカーボルト孔９ｃ、９ｄが、取付工具２０を略９０度回転させることができ、かつ装置開口部２ｂからの長さが略成人の腕の長さの範囲内となる装置奥行長さＬｘに配置した構成となっている。作業員は、この配置構成を考慮してそれぞれのアンカーボルト７を埋設する。なお、アンカーボルト７をグランド６に固定する作業は、第１の実施の形態に関する自動取引装置１と同様であるので簡略化のためのその説明は省略する。
【００６７】
次に、作業員はアンカーボルト７によって自動取引装置１を固定する装置固定作業を行う。このアンカーボルト７による装置固定作業において、先ず、作業員はグランド６に固定したアンカーボルト７が、自動取引装置１の装置底板３のアンカーボルト孔９ａ、９ｂ、９ｃ及び９ｄをそれぞれ貫通するように自動取引装置１を設置する。そして、作業員は金庫扉２の開閉鍵２ａを開錠し、金庫扉２を矢印Ｂｘ方向に開く。
次に、作業員は金庫ユニット５をスライドレール１１によって矢印Ａ方向にスライドさせて装置外に引き出す。スライドレール１１によって金庫ユニット５が装置外に引き出されると、装置開口部２ｂと金庫ユニット後端５ｂ間に、アンカーボルト７を装置底板３に固定する作業用の間隙としての第２の間隙Ｌαが形成でき、特に、第２の間隙Ｌαのうち装置左側には左側間隙５１が、装置右側には右側間隙５２が形成できる。
【００６８】
次に、作業員はアンカーボルト孔９ａ、９ｂ、９ｃ及び９ｄに貫通したそれぞれのアンカーボルト７を固定する作業を行う。先ず、作業員は、作業用間隙としての第２の間隙Ｌαの左側間隙５１から腕を挿入し、アンカーボルト孔９ａ及び９ｃに貫通したそれぞれのアンカーボルト７をナット８ａ及びワッシャー８ｂによって固定する。
図１４は、第４の実施の形態に関する自動取引装置のアンカーボルトによる装置固定作業を示す一部切欠き斜視図である。なお、図１４は、装置奥行略中央のアンカーボルト孔９ｃに貫通したアンカーボルト７を固定する場合を示すが、装置開口部２ｂ近傍のアンカーボルト孔９ａに貫通したアンカーボルト７を固定する場合も同様である。
【００６９】
図１４に示すように、左側間隙５１には制御ボード１０ａ及び配線材１０ｂは配置されていないので、作業員は、装置左側の左側間隙５１から図示しない右腕の挿入が容易になる。作業員は、左側間隙５１から右腕を挿入し、ナット８ａ及びワッシャー８ｂによって仮固定する。そして、作業員は、取付工具２０によってナット８ａを締付けて固定する。
このナット８ａの締付けは、取付工具２０のソケット装着部２０ａに取付けたソケット２０ｓをナット８ａに押し付けて嵌め込み、ハンドル２０ｂを持って略水平方向に回転させることによって行う。即ち、左側間隙５１である装置左側においては、作業員は取付工具２０を装置奥側から矢印Ｇａ方向に装置開口部２ｂ側まで、略９０度回転させてナット８を締め付け、矢印Ｇａの逆方向に空転させて戻す往復動作を繰り返して、ナット８ａを締め付ける。
【００７０】
次に、作業員は図１５に示すように、装置右側の右側間隙５２から図示しない左腕を挿入し、アンカーボルト孔９ｂ及び９ｄに貫通したそれぞれのアンカーボルト７をナット８ａ及びワッシャー８ｂによって固定する。
図１５は、第４の実施の形態に関する自動取引装置のアンカーボルトによる装置固定作業を示す一部切欠き斜視図である。なお、図１５は、装置奥行略中央のアンカーボルト孔９ｄに貫通したアンカーボルト７を固定する場合を示すが、装置開口部２ｂ近傍のアンカーボルト孔９ｂに貫通したアンカーボルト７を固定する場合も同様である。
【００７１】
図１５に示すように、制御ボード１０ａは、金庫ユニット５の右側面における装置奥行略中央よりやや装置開口部２ｂ寄りに設けられる。従って、金庫ユニット５をスライドさせると制御ボード１０ａは右側間隙５２から退避しているので、作業員は装置右側から左腕の挿入が容易になる。作業員は制御ボード１０ａ及び配線材１０ｂを避けながら左腕によって、アンカーボルト孔９ｂ及び９ｄに貫通したそれぞれのアンカーボルト７を固定することができる。装置右側においては、取付工具２０は、装置開口部２ｂ側から矢印Ｇｂ方向に装置奥側へ、略９０度回転させてナット８を締め付け、矢印Ｇｂの逆方向に空転させて戻す往復動作を繰り返して、ナット８ａを締め付ける。
【００７２】
アンカーボルト７による装置固定作業が終了すると、金庫ユニット５をスライドレール１１によってスライドさせて装置内に押し込んで固定する。そして、金庫扉２を閉じて開閉鍵２ａにより施錠する。以上により自動取引装置１のアンカーボルト７による装置固定作業は完了する。
なお、以上の説明では、装置開口部２ｂ近傍に配置したアンカーボルト孔９ａ及び９ｂについて、金庫ユニット５を引出した後に、アンカーボルト７による装置固定作業を行うように説明したが、金庫ユニット５を引出す前にアンカーボルト孔９ａ及び９ｂについて装置固定作業を行ってもよい。このようにすれば、金庫ユニット５を引出すときに自動取引装置１が倒れこむことを防止することができる。
【００７３】
以上のように、第４の実施の形態に関する自動取引装置１によれば、装置開口部２ｂから見て左右の装置筐体１ｘと金庫ユニット５間の第１の間隙Ｌ１における装置開口部２ｂ近傍にアンカーボルト孔９ａ及び９ｂを配置し、装置奥行略中央にアンカーボルト孔９ｃ、９ｄを、取付工具を略水平方向に略９０度回転させることができ、かつ装置開口部２ｂから略成人の腕の長さの範囲内に配置するようにしたので、装置内に設置されている金庫ユニット５及び装置内部品１０の取外しを行うことなく、効率よく、アンカーボルト７による装置固定作業を行うことができる。その結果、第１の実施の形態に関する自動取引装置１の効果に加え、取付工具を用いた装置固定作業を簡単に短時間で行うことができ、同時に自動取引装置１の耐加重性も向上させることができる。
【００７４】
（第５の実施の形態）
第５の実施の形態に関する自動取引装置１の構成は、図１に示した第１の実施の形態に関する自動取引装置１とは、アンカーボルト孔の配置構成が異なる。また、第２の実施の形態に関する自動取引装置１と同様に、装置外に金庫ユニット５を移動させるスライドレール１１が設けられ、金庫ユニット５を装置外に引出したときに装置開口部２ｂと金庫ユニット後端５ｂ間に作業用の間隙としての第２の間隙Ｌαを形成できる構造となっている。その他の構成は第１及び第２の実施の形態に関する自動取引装置１の構成と同様であるので、簡略化のために同様の構成についてはその説明を省略する。
【００７５】
先ず、自動取引装置１の装置底板３に備えるアンカーボルト孔９の配置構成を説明する。図１６は、第５の実施の形態に関する自動取引装置の内部を上方から見た説明図である。
第５の実施の形態に関する自動取引装置１では、固定部材用の孔としてのアンカーボルト孔９が装置開口部２ｂから見て最も奥側の位置には配置されない。アンカーボルト孔９は装置奥行略中央より装置開口部２ｂ寄りに配置されている。即ち、装置開口部２ｂ近傍の２個のアンカーボルト孔９ａ及び９ｂは、第１の実施の形態に関する自動取引装置１と同様に装置開口部２ｂの直近の位置に配置されている。本実施の形態に関する自動取引装置１では、他の２個のアンカーボルト孔９ｃ及び９ｄは、装置筐体１ｘと金庫ユニット５の左側の第１の間隙Ｌ１にのみに、かつ装置奥行略中央より装置開口部２ｂ寄りに等間隔に配置している。具体的には、アンカーボルト９ｃは第１の間隙Ｌ１の装置奥行略中央より装置開口２ｂ寄りに配置され、アンカーボルト９ｄは、アンカーボルト９ａ及びアンカーボルト９ｃの中間の位置に配置されている。
【００７６】
このように左側の第１の間隙Ｌ１にのみに装置奥行略中央より装置開口部２ｂ寄りに等間隔にアンカーボルト孔９ｃ及び９ｄを配置することによって、アンカーボルト７による装置固定作業が比較的容易で、かつ第１の実施の形態に関する自動取引装置１と比較し、装置前後、即ち、矢印Ｃ及び矢印Ｄ方向の耐加重性を向上することができる。アンカーボルト孔９ｃ及び９ｄを、装置筐体１ｘと金庫ユニット５の第１の間隙Ｌ１における左側のみに配置したのは、装置筐体１ｘと金庫ユニット５の第１の間隙Ｌ１における右側には装置内部品１０としての制御ボード１０ａ、配線材１０ｂ及びコネクタ１０ｃ等の装置内部品１０が配置されているからである。
【００７７】
スライドレール１１は、金庫ユニット５を装置外に引出すことにより、第２の実施の形態と同様に、装置開口部２ｂと金庫ユニット後端５ｂ間に作業用の間隙としての第２の間隙Ｌα（図１７参照）が形成できるまで引出せる構造となっている。かつ第２の間隙Ｌαのうち装置左側には左側間隙５１が、装置右側には右側間隙５２が形成できる。このように、第２の間隙Ｌαが形成できるようにしたことにより、装置奥行略中央より装置開口部２ｂ側のアンカーボルト孔９ｃ及び９ｄに対しアンカーボルト７による装置固定作業が容易となる。
【００７８】
以上の構成により、第５の実施の形態に関する自動取引装置１のアンカーボルト７による装置固定作業は以下のように行う。最初に、作業員はアンカーボルト７をグランド６に固定するアンカーボルト固定作業を行う。このアンカーボルト固定作業は、アンカーボルト７を埋設する配置構成が第１乃至第４の実施の形態に関する自動取引装置１とは異なる。即ち、図１６に示すようにアンカーボルト孔９ａ及び９ｂに関しては、装置筐体１ｘと金庫ユニット５の第１の間隙Ｌ１であって装置開口部２ｂ近傍の配置構成により、アンカーボルト７を埋設する。一方、アンカーボルト孔９ｃ及び９ｄに関しては、装置筐体１ｘと金庫ユニット５における左側の第１の間隙Ｌ１であって、装置奥行の略中央より装置開口部２ｂ側で等間隔である配置構成によりアンカーボルト７を埋設する。
【００７９】
アンカーボルト７をグランド６に固定する作業は、第１の実施の形態に関する自動取引装置１の説明において図２を用いて説明した作業と同様であるので、簡略化のためのその説明は省略する。
次に、作業員はアンカーボルト７によって自動取引装置１を固定する装置固定作業を行う。このアンカーボルト７による装置固定作業は、先ず、グランド６に固定したアンカーボルト７が、自動取引装置１の装置底板３のアンカーボルト孔９ａ、９ｂ、９ｃ及び９ｄをそれぞれ貫通するように自動取引装置１を設置する。そして、作業員は図１６に示すように、金庫扉２の開閉鍵２ａを開錠し、金庫扉２を矢印Ｂｘ方向に開く。
【００８０】
次に、図５に示す第２の実施の形態に関する自動取引装置１と同様に、作業員は金庫ユニット５をスライドレール１１によって引き出す。このとき、制御ボード１０ａ及び配線材１０ｂは金庫ユニット５とともに引き出されるが、コネクタ１０ｃは装置内に固定されたままである。
【００８１】
次に、作業員はアンカーボルト７によって自動取引装置１を固定する装置固定作業を行う。図１７は、第５の実施の形態に関する自動取引装置のアンカーボルト７による装置固定作業を示す説明図である。図１７に示すように、金庫ユニット５を矢印Ａ方向に引出すことによって、装置開口部２ｂと金庫ユニット後端５ｂ間に左側間隙５１及び右側間隙５２を含む第２の間隙Ｌαを形成させる。
【００８２】
そして、作業員は第２の間隙Ｌαの装置左側の左側間隙５１から右腕を挿入し、アンカーボルト孔９ａ、９ｃ及び９ｄに貫通したそれぞれのアンカーボルト７をナット８ａ及びワッシャー８ｂによって固定する。図１８は、第５の実施の形態に関する自動取引装置のアンカーボルト７による装置固定作業を示す斜視図である。
図１８に示すように、作業員は右腕が利き腕であった場合に、装置左側の左側間隙５１から右腕が挿入し易い。左側間隙５１には制御ボード１０ａ及び配線材１０ｂはなく、作業員は矢印Ｊ方向に右腕を伸ばせば、アンカーボルト孔９ａ、９ｃ及び９ｄを貫通させたそれぞれのアンカーボルト７をナット８ａ及びワッシャー８ｂによって容易に固定することができる。
【００８３】
次に、作業員は第２の間隙Ｌαの装置右側の右側間隙５１から、アンカーボルト孔９ｄを貫通させたアンカーボルト７をナット８ａ及びワッシャー８ｂによって固定する。図１９は、第５の実施の形態に関する自動取引装置の装置固定作業を示す斜視図である。
図１９に示すように、作業員は装置右側から左腕が挿入し易く、制御ボード１０ａ及び配線材１０ｂを避けながら矢印Ｋ方向に左腕を伸ばせば、アンカーボルト孔９ｂを貫通させたアンカーボルト７をナット８ａ及びワッシャー８ｂによって容易に固定することができる。
【００８４】
このように、第５の実施の形態に関する自動取引装置１では、右腕が利き腕であった場合に利き腕が挿入し易い装置左側の方に多くのアンカーボルト孔９を設け、利き腕でない左腕が挿入し易い装置右側にはアンカーボルト孔９を少なくしている。その結果、利き腕でない側の作業を少なくでき、作業効率が向上させることができる。
また、装置右側には、制御ボード１０ａ、配線材１０ｂ及びコネクタの装置内部品１０があり、これを避けながら作業をする必要がある。第５の実施の形態に関する自動取引装置１では、作業が困難な装置右側のアンカーボルト７による装置固定作業を少なくすることができるので、これによっても作業効率を向上させることができる。
アンカーボルト７による装置固定作業が終了すると、金庫ユニット５をスライドレール１１によってスライドさせて装置内に押し込んで固定する。そして、金庫扉２を閉じて開閉鍵２ａにより施錠する。以上により自動取引装置１のアンカーボルト７による装置固定作業は完了する。
【００８５】
なお、以上の説明では、装置開口部２ｂ近傍の装置底板３に配置したアンカーボルト孔９ａ及び９ｂについて、金庫ユニット５を引出した後に、アンカーボルト７による装置固定作業を行うように説明したが、第２の実施の形態に関する自動取引装置１と同様に、金庫ユニット５を引出す前に行ってもよい。
このように、金庫ユニット５を引出す前に、アンカーボルト孔９ａ及び９ｂのアンカーボルト７を固定しておくことによって、金庫ユニット５を引出すときに自動取引装置１が倒れこむことを防止することができる。
【００８６】
以上のように、第５の実施の形態に関する自動取引装置１によれば、装置開口部２ｂから見て左右の装置筐体１ｘと金庫ユニット５間の第１の間隙Ｌ１の、装置開口部２ｂ近傍の装置底板３に、左側に多くアンカーボルト孔９を配置するようにしたので、右腕が利き腕であった場合に利き腕での作業を容易にし、第２の実施の形態に関する自動取引装置１の効果に加え、作業効率を向上させることができる。同時に、装置内部品１０があって作業が困難な側のアンカーボルト７による装置固定作業が少なくなるので、これによっても作業効率を向上することができる。
【００８７】
（実施の形態の変形例１）
また、以上の実施の形態に関する自動取引装置１の説明では、装置正面側に金庫扉２を設け、装置正面側からアンカーボルト７による装置固定作業を行う例として説明したが、装置背面側に金庫扉２が設けられている場合にも適用することができる。
図２０は、第１の実施の形態の変形例１に関する自動取引装置を示す斜視図である。第１の実施の形態の変形例１に関する自動取引装置１の金庫扉２は、自動取引装置１の装置背面側から見て左側の扉支点２−２を中心に矢印Ｂｚ方向に開閉可能である。金庫扉２は矢印Ｂｚ方向に開くことによって、装置開口部２ｂを形成する。そして、第１の実施の形態に関する自動取引装置１と同様に装置開口部２ｂ近傍の装置底板３にアンカーボルト孔９ａ、９ｂ、９ｃ及び９ｄを備える。このようにアンカーボルト孔９ａ、９ｂ、９ｃ及び９ｄを配置することによって、矢印Ｂｚ方向に金庫扉２を開けるだけで、アンカーボルト孔９ａ、９ｂ、９ｃ及び９ｄを使ったアンカーボルト７による装置固定作業を行うことができる。
【００８８】
また、第２、第４及び第５の実施の形態に関する自動取引装置１と同様に、図４、図１３及び図１６に示すアンカーボルト孔９ａ、９ｂ、９ｃ及び９ｄを配置構成の場合でも、金庫ユニット５を矢印Ａ方向に引出すだけで、アンカーボルト７による装置固定作業ができる。
【００８９】
（実施の形態の変形例２）
また、以上の本発明の実施の形態に関する自動取引装置１の説明では、図３、図４又は図１６に示すように、アンカーボルト孔９ａ、９ｂ、９ｃ及び９ｄをそれぞれ異なる位置に配置する例として説明したが、複数のアンカーボルト孔９をあらかじめ開けておき、状況に合わせてアンカーボルト孔９の位置を選択できるようにしてもよい。
図２１は、実施の形態の変形例２に関する自動取引装置のアンカーボルト孔の配置構成を示す説明図である。実施の形態の変形例２に関する自動取引装置１の装置底板３には、装置筐体１ｘと金庫ユニット５間の第１の間隙Ｌ１において、複数のアンカーボルト孔９が、所定の間隔ΔＬごとに左右それぞれに配置される構成となっている。即ち、アンカーボルト孔９は、異なる配置構成に合わせてあらかじめ複数のアンカーボルト孔９が配置されている。
【００９０】
具体的には、装置左側の装置筐体１ｘと金庫ユニット５間の第１の間隙Ｌ１においては、装置開口部２ｂの近傍にアンカーボルト孔９−１を配置し、更に、装置奥側へ向かって所定の間隔ΔＬ隔ててアンカーボルト孔９−３を配置し、以下アンカーボルト孔９−５、９−７、９−９を配置した構成となっている。更に、装置右側の装置筐体１ｘと金庫ユニット５間の第１の間隙Ｌ１においては、装置開口部２ｂの近傍にアンカーボルト孔９−２を配置し、装置奥側へ向かって所定の間隔ΔＬ置いてアンカーボルト孔９−４を配置し、以下アンカーボルト孔９−６、９−８、９−１０を配置した構成となっている。
【００９１】
このように、所定の間隔ΔＬごとに複数のアンカーボルト孔９をあらかじめ開けておくことにより、顧客からの要望及び設置場所のグランド６の状況によって、自動取引装置１ごとにアンカーボルト７の埋設の配置構成が変わった場合でも、同様にアンカーボルト７による装置固定作業を行うことができる。
【００９２】
（実施の形態の変形例３）
また、前述の第２の実施の形態に関する自動取引装置１の説明では、装置奥行略中央のアンカーボルト孔９ｃ及び９ｄを、腕が届く範囲における装置奥行略中央に配置する例を示したが、より奥側にアンカーボルト孔９ｃ及び９ｄを配置するようにしてもよい。
図２２は、実施の形態の変形例３に関する自動取引装置のアンカーボルト孔による装置固定作業を示す説明図である。図２２に示すように、スライドレール１１によって金庫ユニット５を装置開口部２ｂと金庫ユニット後端５ｂ間が、第２の実施の形態で説明した作業用の第２の間隙Ｌαより広い作業用の間隙Ｌβ（Ｌβ＞Ｌα）が形成されるまで引出せるようにする。そして、作業員の肩まで入る間隙ａ部、間隙ｂ部を形成可能とする。
【００９３】
その結果、アンカーボルト孔９ｃ及び９ｄを装置奥行略中央より更に奥側の長さＬｙの位置（Ｌｙ＞Ｌｘ）に配置することができる。このようにアンカーボルト孔９ｃ及び９ｄを装置奥側に配置することにより、装置前後左右方向からの耐加重性を向上させることができる。
この長さＬｘは、作業員がスパナ等を持って腕が届く範囲、即ち、肩を含む腕の長さまで、その範囲を広げることができる。実験によれば、成人、男子でアンカーボルト７による装置固定作業が可能な平均長さＬｘは約５０ｃｍであった。従って、この長さまで、アンカーボルト孔９ｃ及び９ｄの配置範囲を広げることができる。
【００９４】
また、以上の実施の形態に関する自動取引装置１の説明では、装置開口部２ｂ近傍の装置底板３にアンカーボルト孔９ａ、９ｂ、９ｃ及び９ｄ、計４個のアンカーボルト孔９を備えるように説明したが、５個以上を備えるようにしてもよい。
例えば、装置左側に３個及び装置右側に２個の計５個、或いは装置左側に２個及び装置右側に３個の計５個、装置左側に３個及び装置右側に３個の計６個などの配置としてもよい。
【００９５】
以上の本発明の実施の形態に関する自動取引装置１の説明では、本発明を現金自動預払機の自動取引装置に適用する例を示したが、装置ごとの盗難を防止する装置、例えば自動券売機等にも広く適用することができる。
【符号の説明】
【００９６】
１          自動取引装置
１ｘ        装置筐体
２          金庫扉
２ｂ        装置開口部
３          装置底板
５          金庫ユニット
６          グランド
７          アンカーボルト
９          アンカーボルト孔
９ａ、９ｂ  アンカーボルト孔
９ｃ、９ｄ  アンカーボルト孔
１０        装置内部品
１１        スライドレール
２０        取付工具
Ｒｔ        工具回転半径
θｔ        取付工具の回転角
【図１】
0006747249.tif 000002
【図２】
0006747249.tif 000003
【図３】
0006747249.tif 000004
【図４】
0006747249.tif 000005
【図５】
0006747249.tif 000006
【図６】
0006747249.tif 000007
【図７】
0006747249.tif 000008
【図８】
0006747249.tif 000009
【図９】
0006747249.tif 000010
【図１０】
0006747249.tif 000011
【図１１】
0006747249.tif 000012
【図１２】
0006747249.tif 000013
【図１３】
0006747249.tif 000014
【図１４】
0006747249.tif 000015
【図１５】
0006747249.tif 000016
【図１６】
0006747249.tif 000017
【図１７】
0006747249.tif 000018
【図１８】
0006747249.tif 000019
【図１９】
0006747249.tif 000020
【図２０】
0006747249.tif 000021
【図２１】
0006747249.tif 000022
【図２２】
0006747249.tif 000023
【図２３】
0006747249.tif 000024
【図２４】
0006747249.tif 000025